(57)【要約】【課題】  調整操作をより容易にすることが可能な表示装置等を提供すること。【解決手段】  表示装置の一種であるプロジェクター１００が、操作情報に基づき、第１の調整操作から第２の調整操作に切り替わった時の調整位置を示す第１の調整位置画像と、第２の調整操作から第１の調整操作に切り替わった時の調整位置を示す第２の調整位置画像と、現在の調整位置を示す現在位置画像とを含む調整画像を生成する画像生成部１３０と、前記調整画像を表示する表示部として機能する投写部１９０を含んで構成される。【選択図】  図１
2010251840.tif 000002
【特許請求の範囲】
【請求項１】
操作情報に基づき、第１の調整操作から第２の調整操作に切り替わった時の調整位置を示す第１の調整位置画像と、第２の調整操作から第１の調整操作に切り替わった時の調整位置を示す第２の調整位置画像と、現在の調整位置を示す現在位置画像とを含む調整画像を生成する画像生成部と、
前記調整画像を表示する表示部と、
を含む表示装置。
【請求項２】
請求項１に記載の表示装置において、
前記画像生成部は、前記調整画像の一部として、調整可能な範囲を示す調整可能範囲画像を生成する表示装置。
【請求項３】
請求項２に記載の表示装置において、
前記画像生成部は、前記調整可能範囲画像を前記第１の調整位置画像、前記第２の調整位置画像および前記現在位置画像の背後に生成するとともに、前記現在位置画像を前記調整可能範囲画像上における前記第１の調整位置画像と前記第２の調整位置画像との間に生成する表示装置。
【請求項４】
請求項１〜３のいずれかに記載の表示装置において、
前記操作情報は、操作回数、操作方向、操作量、操作継続時間のうちの少なくとも１つに応じて第１の調整操作と第２の調整操作が切り替わる操作情報である、
表示装置。
【請求項５】
請求項１〜４のいずれかに記載の表示装置において、
前記操作情報は、操作部の操作回数に応じて前記第１の調整操作と前記第２の調整操作が切り替わるトグル操作情報である、
表示装置。
【請求項６】
コンピューターを、
操作情報に基づき、第１の調整操作から第２の調整操作に切り替わった時の調整位置を示す第１の調整位置画像と、第２の調整操作から第１の調整操作に切り替わった時の調整位置を示す第２の調整位置画像と、現在の調整位置を示す現在位置画像とを含む調整画像を生成する画像生成部と、
前記調整画像を表示部に表示させる表示制御部として機能させるプログラム。
【請求項７】
コンピューターにより読み取り可能なプログラムを記憶した情報記憶媒体であって、
請求項６に記載したプログラムを記憶した情報記憶媒体。
【発明の詳細な説明】
【技術分野】
【０００１】
本発明は、表示装置、プログラムおよび情報記憶媒体に関する。
【背景技術】
【０００２】
一般的に、プロジェクター等の表示装置は、フォーカス調整操作、画像の明るさの調整操作等に応じてフォーカス等を調整して画像を表示する機能を有している。例えば、特開２００３−２９５３２１号公報では、フォーカス等の複数のパラメーターセットを記憶し、選択されたパラメーターセットに応じて光学系等を調整するプロジェクターが記載されている。また、一般的に、ユーザーは、リモートコントローラー（以下、「リモコン」という。）のボタンを操作してフォーカス調整操作等を行う。
【先行技術文献】
【特許文献】
【０００３】
【特許文献１】特開２００３−２９５３２１号公報
【発明の概要】
【発明が解決しようとする課題】
【０００４】
しかし、リモコンのボタン操作の場合、第１の調整操作（例えば、フォーカス状態をテレ方向に調整する操作、画像の明るさを明るくする操作等）用のボタンと、第２の調整操作（例えば、フォーカス状態をワイド方向に調整する操作、画像の明るさを暗くする操作等）用のボタンを切り替えながら調整することは、ユーザーによるボタンの押し間違い、ユーザーの集中力低下等が発生しやすいため、好ましいものではない。
【０００５】
また、フォーカス調整等の場合、現在のフォーカス状態等が＋マーク等で表示されるだけであるため、ユーザーにとって視認しにくい。さらに、トグルボタンを用いて第１の調整操作と第２の調整操作を切り替える手法も考えられるが、調整操作画像では現在の状態が表示されるだけであるため、ユーザーは、調整操作の切り替え時点等を把握することが困難であるため、調整も容易ではない。
【０００６】
本発明にかかるいくつかの態様は、上記課題を解決することにより、調整操作をより容易にすることが可能な表示装置、プログラムおよび情報記憶媒体を提供するものである。
【課題を解決するための手段】
【０００７】
本発明の態様の１つである表示装置は、操作情報に基づき、第１の調整操作から第２の調整操作に切り替わった時の調整位置を示す第１の調整位置画像と、第２の調整操作から第１の調整操作に切り替わった時の調整位置を示す第２の調整位置画像と、現在の調整位置を示す現在位置画像とを含む調整画像を生成する画像生成部と、前記調整画像を表示する表示部と、を含むことを特徴とする。
【０００８】
また、本発明の態様の１つであるプログラムは、コンピューターを、操作情報に基づき、第１の調整操作から第２の調整操作に切り替わった時の調整位置を示す第１の調整位置画像と、第２の調整操作から第１の調整操作に切り替わった時の調整位置を示す第２の調整位置画像と、現在の調整位置を示す現在位置画像とを含む調整画像を生成する画像生成部と、前記調整画像を表示部に表示させる表示制御部として機能させることを特徴とする。
【０００９】
また、本発明の態様の１つである情報記憶媒体は、コンピューターにより読み取り可能なプログラムを記憶した情報記憶媒体であって、上記プログラムを記憶したことを特徴とする。
【００１０】
本発明によれば、表示装置等は、第１の調整操作から第２の調整操作に切り替わった時の調整位置と、第２の調整操作から第１の調整操作に切り替わった時の調整位置と、現在の調整位置を示す調整画像を表示することにより、ユーザーは、調整操作の切り替わり位置等がわかりやすくなるため、より容易に調整操作を行うことができる。
【００１１】
また、前記画像生成部は、前記調整画像の一部として、調整可能な範囲を示す調整可能範囲画像を生成してもよい。
【００１２】
これによれば、表示装置等は、調整可能な範囲を示す調整画像を表示することにより、ユーザーは、調整可能な範囲がわかりやすくなるため、より容易に調整操作を行うことができる。
【００１３】
また、前記画像生成部は、前記調整可能範囲画像を前記第１の調整位置画像、前記第２の調整位置画像および前記現在位置画像の背後に生成するとともに、前記現在位置画像を前記調整可能範囲画像上における前記第１の調整位置画像と前記第２の調整位置画像との間に生成してもよい。
【００１４】
これによれば、ユーザーは、調整可能範囲が表示された状態で現在位置画像等を移動させることができるため、より容易に調整操作を行うことができる。
【００１５】
また、前記操作情報は、操作回数、操作方向、操作量、操作継続時間のうちの少なくとも１つに応じて第１の調整操作と第２の調整操作が切り替わる操作情報であってもよい。
【００１６】
これによれば、表示装置等は、操作回数等に応じて調整操作が切り替わる操作情報に応じた調整画像を表示することができるため、ユーザーは複数のボタン等を用いた操作を行うことなく、調整操作を行うことができる。
【００１７】
また、前記操作情報は、操作部の操作回数に応じて前記第１の調整操作と前記第２の調整操作が切り替わるトグル操作情報であってもよい。
【００１８】
これによれば、表示装置等は、トグル操作に応じて調整操作が切り替わる操作情報に応じた調整画像を表示することができるため、ユーザーは１つのボタン等を用いた操作で調整操作を行うことができる。
【図面の簡単な説明】
【００１９】
【図１】第１の実施例におけるプロジェクターの機能ブロック図である。
【図２】第１の実施例におけるフォーカス調整手順を示すフローチャートである。
【図３】第１の実施例における調整画像の一例を示す図である。
【図４】第２の実施例における調整画像の一例を示す図である。
【図５】その他の実施例における調整画像の一例を示す図である。
【発明を実施するための形態】
【００２０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例におけるプロジェクター１００の機能ブロック図である。表示装置の一種であるプロジェクター１００は、操作部１１０と、フォーカス調整制御等を行う制御部１２０と、調整画像等を生成する画像生成部１３０と、調整画像等を生成するための画像データ１４２等を記憶する記憶部１４０と、調整画像等を表示する表示部の一種である投写部１９０を含んで構成されている。
【００２２】
また、プロジェクター１００は、以下のハードウェアを用いてこれらの各部として機能してもよい。例えば、プロジェクター１００は、操作部１１０はリモコン、ボタン等、制御部１２０はＣＰＵ等、画像生成部１３０は画像処理回路等、記憶部１４０は不揮発性メモリー等、投写部１９０はランプ、液晶パネル、液晶駆動回路、レンズ等を用いてもよい。
【００２３】
また、プロジェクター１００の有するコンピューターは、情報記憶媒体２００に記憶されたプログラムを読み取って画像生成部１３０等として機能してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２４】
次に、これらの各部を用いたフォーカス調整手順について説明する。図２は、第１の実施例におけるフォーカス調整手順を示すフローチャートである。ここでは、リモコンにフォーカス調整用の１つのボタンが設けられており、ユーザーが当該フォーカス調整ボタンを押してプロジェクター１００のフォーカスを調整するものとする。また、フォーカス調整ボタンの奇数回目の押下は、フォーカスをテレ（望遠）方向に調整し（第１の調整操作）、フォーカス調整ボタンの偶数回目の押下は、フォーカスをワイド（広角）方向に調整し（第２の調整操作）、ユーザーがフォーカス調整ボタンを押してから離すまで同じ方向にフォーカスが徐々に調整されるものとする。
【００２５】
まず、画像生成部１３０は、画像データ１４２等に基づき、調整画像を生成し、投写部１９０は、当該調整画像を投写する（ステップＳ１）。
【００２６】
図３は、第１の実施例における調整画像３００の一例を示す図である。調整画像３００は、フォーカス調整可能な範囲を示す調整可能範囲画像３１０、現在の調整位置を示す現在位置画像３２０、ワイド方向からテレ方向への切り替えが行われた調整位置を示す調整位置画像（第１の調整位置画像）３３０、テレ方向からワイド方向への切り替えが行われた調整位置を示す調整位置画像（第２の調整位置画像）３４０等を含む画像である。なお、調整可能範囲画像３１０は、図３に示すように、現在位置画像３２０、調整位置画像３３０、調整位置画像３４０の背後に表示される。
【００２７】
ユーザーは、調整画像３００の見え方に応じて適切なフォーカスになるように、フォーカス調整ボタンを操作する。制御部１２０は、操作部１１０からの操作情報に基づき、一定時間（例えば、０．５秒等）ごとにフォーカス調整ボタンが押下状態であるかどうかを判定する（ステップＳ２）。
【００２８】
フォーカス調整ボタンが押下状態である場合、制御部１２０は、初回の切り替え（第１の調整操作から第２の調整操作への切り替えまたは第２の調整操作から第１の調整操作への切り替え）であるかどうかを判定する（ステップＳ３）。例えば、制御部１２０は、記憶部１４０等に記憶されているフォーカス調整ボタンの押下フラグがオフになっている場合、初回の切り替えであると判定する。
【００２９】
初回の切り替えである場合、制御部１２０は、フォーカス調整ボタンの押下フラグをオンに設定し（ステップＳ４）、調整画像内の現在位置を切り替え位置に設定し（ステップＳ５）、調整画像内の現在位置の移動方向を反対方向（例えば、現在の移動方向が右方向の場合は左方向等）に設定する（ステップＳ６）。なお、制御部１２０は、現在位置の設定等として、例えば、記憶部１４０における現在位置等を示すデータを更新してもよい。
【００３０】
制御部１２０は、現在位置を示すデータに応じて投写部１９０のフォーカスを調整する（ステップＳ７）。画像生成部１３０は、画像データ１４２等に基づき、調整画像３００を生成し、投写部１９０は、フォーカスの調整された調整画像３００を投写する（ステップＳ８）。
【００３１】
例えば、ユーザーが、ワイド方向からテレ方向へのフォーカス調整でフォーカス調整ボタンを押し続けた場合、制御部１２０は、現在位置画像３２０がテレ方向に移動するように記憶部１４０における現在位置を示すデータを更新し（ステップＳ９）、現在位置を示すデータに応じて投写部１９０のフォーカスを調整し（ステップＳ７）、画像生成部１３０は当該データに基づいて現在位置画像３２０を（テレ方向）右方向に移動した調整画像３００を生成する（ステップＳ８）。
【００３２】
また、例えば、ユーザーがフォーカス調整ボタンの押下を終了した場合、制御部１２０は、フォーカス調整ボタンの押下フラグをオフに設定する（ステップＳ１０）。押下フラグがオフになることにより、制御部１２０は、次回のフォーカス調整ボタンの押下時に初回の切り替えであると判定することができる。
【００３３】
制御部１２０は、操作部１１０からの操作情報に基づき、フォーカス調整の終了指示があるかどうかを判定し（ステップＳ１１）、終了指示があった場合は上述したフォーカス調整処理を終了する。
【００３４】
以上のように、本実施例によれば、プロジェクター１００は、最新の第１の調整操作から第２の調整操作に切り替わった時の調整位置と、最新の第２の調整操作から第１の調整操作に切り替わった時の調整位置と、現在の調整位置を示す調整画像を表示することにより、ユーザーは、調整操作の切り替わり位置等がわかりやすくなるため、より容易にフォーカス調整操作を行うことができる。また、これにより、ユーザーは、より短時間でフォーカス調整を完了することができる。
【００３５】
また、本実施例によれば、プロジェクター１００は、フォーカス調整操作を反映した調整画像３００を表示することにより、ユーザーに対して調整操作結果を伝達することができる。
【００３６】
また、本実施例によれば、プロジェクター１００は、調整位置に加えて調整可能な範囲を表示することにより、フォーカス調整時の調整操作をより容易にすることができる。
【００３７】
また、本実施例によれば、プロジェクター１００は、トグル操作に応じて調整操作が切り替わる操作情報に応じた調整画像３００を表示することができるため、ユーザーは１つのフォーカス調整ボタンを用いた操作でフォーカス調整操作を行うことができるため、ボタンの押し間違い等が発生しにくく、より効率的にフォーカス調整操作を行うことができる。
【００３８】
また、本実施例によれば、プロジェクター１００は、調整可能範囲画像３１０を調整位置画像３３０、３４０および現在位置画像３２０の背後に表示するとともに、現在位置画像３２０を調整可能範囲画像３１０上における調整位置画像３３０と調整位置画像３４０との間に表示することにより、ユーザーは、調整可能範囲が表示された状態で現在位置画像３２０等を移動させることができるため、より容易に調整操作を行うことができる。
【００３９】
（第２の実施例）
調整可能範囲画像は、第１の実施例の調整可能範囲画像３１０のように直線状のものに限定されず、曲線状、円形状等の他の形状であってもよい。図４は、第２の実施例における調整画像３０１の一例を示す図である。
【００４０】
例えば、リモコンの右側に円形のダイヤル式フォーカス調整部が設けられている場合、ユーザーは、当該フォーカス調整部を回転させてフォーカス調整を行う。このような場合、円形状の調整可能範囲画像３１１が適用されてもよい。
【００４１】
調整画像３０１は、フォーカス調整可能な範囲を円形で示す調整可能範囲画像３１１、現在の調整位置を示す現在位置画像３２１、ワイド方向からテレ方向への切り替えが行われた調整位置を示す調整位置画像３３１、テレ方向からワイド方向への切り替えが行われた調整位置を示す調整位置画像３４１等を示す画像である。
【００４２】
ユーザーが、フォーカス調整部を操作することにより、現在位置画像３２１、調整位置画像３３１、調整位置画像３４１が円形状の調整可能範囲画像３１１上を移動する。このように、調整可能範囲画像３１１が円形状のものであっても、第１の実施例と同様の作用効果を奏する。また、調整画像３０１における現在位置画像３２１等の移動方法が実際の調整ボタンの操作方法と類似しているため、ユーザーは、より容易に調整操作を行うことができる。
【００４３】
（その他の実施例）
なお、本発明の適用は上述した実施例に限定されず、種々の変形が可能である。例えば、プロジェクター１００は、調整回数や調整時間等に応じて現在位置等の大きさを変化させてもよい。図５は、その他の実施例における調整画像３０２の一例を示す図である。
【００４４】
例えば、初回のフォーカス調整時やフォーカス調整開始から３０秒以内等の場合、画像生成部１３０は、通常よりも現在位置画像３２２、調整位置画像３３２、調整位置画像３４２を大きく表示する調整画像３０２を生成してもよい。
【００４５】
これによれば、フォーカスが合っていない場合であっても、ユーザーは、調整画像３０２における現在位置画像３２２等を容易に把握することができるため、より短時間でフォーカス調整を完了することができる。
【００４６】
また、調整可能範囲画像は、調整可能範囲画像３１０、３１１に限定されない。例えば、調整可能範囲画像は、テレ方向からワイド方向に向かって幅が広く形成されていてもよい。このような構成によれば、ユーザーは、より直感的に調整操作を行うことができる。また、当然であるが、ワイド方向とテレ方向が調整可能範囲画像３１０、３１１の逆であってもよい。
【００４７】
また、記憶部１４０が調整可能範囲を示す調整可能範囲データを記憶し、制御部１２０が、操作部１１０からの操作情報に基づき、調整可能範囲データを更新してもよい。例えば、制御部１２０は、第１の調整操作から第２の調整操作に切り替わった時の調整位置と、第２の調整操作から第１の調整操作に切り替わった時の調整位置との間の範囲を調整可能範囲として調整可能範囲データを更新してもよい。また、画像生成部１３０は、当該調整可能範囲データに基づき、各調整位置の間の部分を調整可能範囲として表示する調整可能範囲画像を生成してもよい。
【００４８】
これによれば、プロジェクター１００は、調整可能範囲を徐々に狭めることができる上、常に現在位置画像が第１の調整位置画像と第２の調整位置画像との間に表示されるため、ユーザーは、より効率的に調整を行うことができる。
【００４９】
また、第１の調整位置画像は、最新の調整位置を示す画像に限定されず、調整操作切り替わり時の複数の調整位置を示す画像、すべての調整位置を示す画像等であってもよい。第２の調整位置画像も同様である。
【００５０】
また、上述した調整操作は、フォーカス調整操作に限定されず、例えば、フォーカス、画像の明るさ、画像の色合い、画像のコントラスト、画像の黒レベル、画像のシャープネス、ズーム状態、レンズシフト状態のうちの少なくとも１つを調整する操作であってもよい。
【００５１】
また、上述した操作情報は、操作回数に応じて第１の調整操作と第２の調整操作が切り替わる操作情報に限定されず、例えば、操作回数、操作方向、操作量、操作継続時間のうちの少なくとも１つに応じて第１の調整操作と第２の調整操作が切り替わる操作情報であってもよい。
【００５２】
例えば、操作部１１０がレバーやスイッチ等の場合、前方向に操作すると第１の調整操作となり、後ろ方向に操作すると第２の調整操作となってもよい。また、例えば、操作部１１０がダイヤル等の場合、ダイヤルの操作量が１０カウント以上であれば第１の調整操作となり、ダイヤルの操作量が９カウント以下であれば第２の調整操作となってもよい。また、例えば、操作部１１０がボタン等の場合、ボタンを押してから離すまでの操作継続時間が１秒未満であれば第１の調整操作となり、操作継続時間が１秒以上であれば第２の調整操作となってもよい。
【００５３】
また、上述した実施例では、制御部１２０が、リモコンにおけるフォーカス調整ボタンの操作回数に応じて操作内容を判定したが、リモコンがフォーカス調整ボタン等の操作回数に応じて操作内容を判定して異なる操作情報（例えば、テレ方向へのフォーカス調整操作情報、ワイド方向へのフォーカス調整操作情報等）をプロジェクター１００に送信してもよい。
【００５４】
また、表示装置は、プロジェクター１００に限定されず、例えば、テレビ、液晶ディスプレイ、携帯型ゲーム装置、携帯電話等であってもよい。
【００５５】
また、プロジェクター１００は、液晶プロジェクター（透過型、ＬＣＯＳ等の反射型）に限定されず、例えば、ＤＭＤ(Digital Micromirror Device)を用いたプロジェクター等であってもよい。なお、ＤＭＤは米国テキサス・インスツルメンツ社の商標である。また、プロジェクター１００の機能を複数の装置（例えば、ＰＣとプロジェクター等）に分散して実装してもよい。
【符号の説明】
【００５６】
１００  プロジェクター（表示装置）、１１０  操作部、１２０  制御部、１３０  画像生成部、１４０  記憶部、１４２  画像データ、１９０  投写部、２００  情報記憶媒体、３００〜３０２  調整画像、３１０、３１１  調整可能範囲画像、３２０〜３２２  現在位置画像、３３０〜３３２  調整位置画像（第１の調整位置画像）、３４０〜３４２  調整位置画像（第２の調整位置画像）
【図１】
2010251840.tif 000003
【図２】
2010251840.tif 000004
【図３】
2010251840.tif 000005
【図４】
2010251840.tif 000006
【図５】
2010251840.tif 000007